(57)【要約】【課題】専用の操作子を使用せず、紙のページをめくる書籍に近い操作性を有する携帯端末装置及びプログラムを提供することを目的とする。【解決手段】少なくとも一方の筐体に情報を表示する表示部を備える第一の筐体及び第二の筐体がヒンジ部を介して開閉可能に連結され、第一の筐体或いは第二の筐体の一方を動かさず他方を開く或いは閉じる操作のうち、どちらの筐体が開く或いは閉じられたかを検出し、検出された第一の筐体或いは第二の筐体のどちらの開閉操作かに応じて、表示部による情報の表示に関する動作方向を制御する。【選択図】図２
2010135967.tif 000002
【特許請求の範囲】
【請求項１】
少なくとも一方の筐体に情報を表示する表示部を備える第一の筐体及び第二の筐体がヒンジ部を介して開閉可能に連結された端末装置であって、
前記第一の筐体或いは第二の筐体の一方を動かさず他方を開く或いは閉じる操作のうち、どちらの筐体が開く或いは閉じられたかを検出する開閉検出手段と、
前記開閉検出手段により検出された前記第一の筐体或いは第二の筐体のどちらの開閉操作かに応じて、前記表示部による情報の表示に関する動作方向を制御する制御手段と、
を備えることを特徴とする携帯端末装置。
【請求項２】
前記表示部に表示される情報の種類を検出する情報種類検出手段を更に備え、
前記制御手段は、前記情報種類検出手段により検出された情報の種類に応じて前記表示に関する動作方向を更に制御することを特徴とする請求項１に記載の携帯端末装置。
【請求項３】
前記情報種類検出手段により検出される情報の種類は、複数のページからなるコンテンツであって、
前記制御手段は、前記コンテンツのページ送りの方向を制御することを特徴とする請求項２に記載の携帯端末装置。
【請求項４】
前記情報種類検出手段は、前記コンテンツが縦書きか横書きかを更に検出し、
前記制御手段は、前記情報種類検出手段により検出された縦書きか横書きかに応じて、前記ページ送りの方向を更に制御することを特徴とする請求項３に記載の携帯端末装置。
【請求項５】
前記情報種類検出手段により検出される情報の種類は、前記表示部の画面内に収まらない表示サイズのコンテンツであって、
前記制御手段は、前記コンテンツのスクロールの動作方向を制御することを特徴とする請求項２に記載の携帯端末装置。
【請求項６】
前記情報種類検出手段により検出される情報の種類は、項目の一覧表示であって、
前記制御手段は、前記項目を選択する方向を制御することを特徴とする請求項２に記載の携帯端末装置。
【請求項７】
当該端末装置の向きを検出する向き検出手段を更に備え、
前記制御手段は、前記向き検出手段により検出された当該端末装置の向きに応じて、前記表示に関する動作方向を更に制御することを特徴とする請求項１乃至６の何れか１項に記載の携帯端末装置。
【請求項８】
前記ヒンジ部は前記第一の筐体と第二の筐体とを閉じた状態から相対的に回転させて、第一の方向と、前記第一の方向と直交する第二の方向とに開放させ異なる二方向に開閉可能であって、
前記開閉検出手段は、前記第一の筐体或いは第二の筐体の一方を動かさず他方を開く或いは閉じる操作のうち、どちらの筐体が前記第一の方向或いは第二の方向のどちらに開く或いは閉じられたかを更に検出し、
前記制御手段は、前記開閉検出手段により検出された前記第一の筐体或いは第二の筐体のどちらの開閉操作が前記第一の方向或いは第二の方向のどちら方向に行なわれたかに応じて、前記表示に関する動作方向を更に制御することを特徴とする請求項１乃至７の何れか１項に記載の携帯端末装置。
【請求項９】
前記開閉検出手段は、前記第一の筐体或いは第二の筐体のどちらかの開閉操作の開く或いは閉じる量を更に検出し、
前記制御手段は、前記開閉検出手段により検出された開閉量に応じて、前記表示部による情報の表示に関する動作量を更に制御することを特徴とする請求項１乃至８の何れか１項に記載の携帯端末装置。
【請求項１０】
情報を表示する表示部を備える第一の筐体と第二の筐体が、筐体の折り畳みの軸線方向と直交方向の軸線回りに筐体を相対回転可能とする２軸のヒンジ部を介して折り畳み可能に連結された端末装置であって、
前記第一の筐体がどちらの方向に回転されたかを検出する回転検出手段と、
前記検出手段により検出された方向により、前記表示部による情報の表示に関する動作方向を制御する制御手段と、
を備えることを特徴とする携帯端末装置。
【請求項１１】
当該端末装置の向きを検出する向き検出手段を更に備え、
前記制御手段は、前記向き検出手段により検出された当該端末装置の向きに応じて、前記表示に関する動作方向を更に制御することを特徴とする請求項１０に記載の携帯端末装置。
【請求項１２】
前記回転検出手段は、前記回転操作の回転する量を更に検出し、
前記制御手段は、前記開閉検出手段により検出された回転量に応じて、前記表示部による情報の表示に関する動作量を更に制御することを特徴とする請求項１０又は１１に記載の携帯端末装置。
【請求項１３】
コンピュータに、
少なくとも一方の筐体に情報を表示する表示部を備える第一の筐体或いは第二の筐体の一方を動かさず他方を開く或いは閉じる操作のうち、どちらの筐体が開く或いは閉じられたかを検出する開閉検出手順と、
前記開閉検出手順により検出された前記第一の筐体或いは第二の筐体のどちらの開閉操作かに応じて、前記表示部による情報の表示に関する動作方向を制御する制御手順と、
を実行させるプログラム。
【請求項１４】
コンピュータに、
情報を表示する表示部を備え、第二の筐体と筐体の折り畳みの軸線方向と直交方向の軸線回りに筐体を相対回転可能とする２軸のヒンジ部を介して折り畳み可能に連結された第一の筐体がどちらの方向に回転されたかを検出する回転検出手順と、
前記検出手順により検出された方向により、前記表示部による情報の表示に関する動作方向を制御する制御手順と、
を実行させるプログラム。
【発明の詳細な説明】
【技術分野】
【０００１】
本発明は、表示部を備え、表示される情報の表示動作を制御する携帯端末装置、及びプログラムに関する。
【背景技術】
【０００２】
携帯端末装置の表示品位は年々向上を続けている。また複数のコンテンツを携帯できる、保存のための場所をとらない、ネットワークを介して居ながらにしてコンテンツを取得できる等のメリットがあり携帯端末装置で電子書籍等のコンテンツを閲覧することが広まってきている。一方ページを送ったり戻したりするための操作を紙のページをめくる書籍にできるだけ近づけたいという要求には強いものがある。
【０００３】
従来技術として、紙をめくるような直感的なページ送りあるいはページ戻りの操作を行なえる技術が開示されている。
【０００４】
【特許文献１】特開２００７−１８０９５公報
【発明の開示】
【発明が解決しようとする課題】
【０００５】
しかしながら従来技術においては専用の操作子を使用するため携帯端末装置のサイズやコストに影響するという問題がある。
【０００６】
本発明は、このような事情に鑑みてなされたもので、専用の操作子を使用せず、紙のページをめくる書籍に近い操作性を有する携帯端末装置及びプログラムを提供することを目的とする。
【課題を解決するための手段】
【０００７】
上記目的達成のため、請求項１に記載の発明は、少なくとも一方の筐体に情報を表示する表示部を備える第一の筐体及び第二の筐体がヒンジ部を介して開閉可能に連結された端末装置であって、前記第一の筐体或いは第二の筐体の一方を動かさず他方を開く或いは閉じる操作のうち、どちらの筐体が開く或いは閉じられたかを検出する開閉検出手段と、前記開閉検出手段により検出された前記第一の筐体或いは第二の筐体のどちらの開閉操作かに応じて、前記表示部による情報の表示に関する動作方向を制御する制御手段と、を備えることを特徴とする。
更に、コンピュータに対して、上述した請求項１記載の発明に示した主要手順を実現させるためのプログラムを提供する（請求項１３記載の発明）。
【０００８】
請求項１に従属する発明として、前記表示部に表示される情報の種類を検出する情報種類検出手段を更に備え、前記制御手段は、前記情報種類検出手段により検出された情報の種類に応じて前記表示に関する動作方向を更に制御することを特徴とする請求項２記載の発明であってもよい。
【０００９】
請求項２に従属する発明として、前記情報種類検出手段により検出される情報の種類は、複数のページからなるコンテンツであって、前記制御手段は、前記コンテンツのページ送りの方向を制御することを特徴とする請求項３記載の発明であってもよい
【００１０】
請求項３に従属する発明として、前記情報種類検出手段は、前記コンテンツが縦書きか横書きかを更に検出し、前記制御手段は、前記情報種類検出手段により検出された縦書きか横書きかに応じて、前記ページ送りの方向を更に制御することを特徴とする請求項４記載の発明であってもよい。
【００１１】
請求項２に従属する発明として、前記情報種類検出手段により検出される情報の種類は、前記表示部の画面内に収まらない表示サイズのコンテンツであって、前記制御手段は、前記コンテンツのスクロールの動作方向を制御することを特徴とする請求項５記載の発明であってもよい。
【００１２】
請求項２に従属する発明として、前記情報種類検出手段により検出される情報の種類は、項目の一覧表示であって、前記制御手段は、前記項目を選択する方向を制御することを特徴とする請求項６記載の発明であってもよい。
【００１３】
請求項１乃至６の何れか１項に従属する発明として、当該端末装置の向きを検出する向き検出手段を更に備え、前記制御手段は、前記向き検出手段により検出された当該端末装置の向きに応じて、前記表示に関する動作方向を更に制御することを特徴とする請求項７記載の発明であってもよい。
【００１４】
請求項１乃至７の何れか１項に従属する発明として、前記ヒンジ部は前記第一の筐体と第二の筐体とを閉じた状態から相対的に回転させて、第一の方向と、前記第一の方向と直交する第二の方向とに開放させ異なる二方向に開閉可能であって、前記開閉検出手段は、前記第一の筐体或いは第二の筐体の一方を動かさず他方を開く或いは閉じる操作のうち、どちらの筐体が前記第一の方向或いは第二の方向のどちらに開く或いは閉じられたかを更に検出し、前記制御手段は、前記開閉検出手段により検出された前記第一の筐体或いは第二の筐体のどちらの開閉操作が前記第一の方向或いは第二の方向のどちら方向に行なわれたかに応じて、前記表示に関する動作方向を更に制御することを特徴とする請求項８記載の発明であってもよい。
【００１５】
請求項１乃至８何れか１項に従属する発明として、前記開閉検出手段は、前記第一の筐体或いは第二の筐体のどちらかの開閉操作の開く或いは閉じる量を更に検出し、前記制御手段は、前記開閉検出手段により検出された開閉量に応じて、前記表示部による情報の表示に関する動作量を更に制御することを特徴とする請求項９記載の発明であってもよい。
【００１６】
上記目的達成のため、請求項１０に記載の発明は、情報を表示する表示部を備える第一の筐体と第二の筐体が、筐体の折り畳みの軸線方向と直交方向の軸線回りに筐体を相対回転可能とする２軸のヒンジ部を介して折り畳み可能に連結された端末装置であって、前記第一の筐体がどちらの方向に回転されたかを検出する回転検出手段と、前記検出手段により検出された方向により、前記表示部による情報の表示に関する動作方向を制御する制御手段と、を備えることを特徴とする。
更に、コンピュータに対して、上述した請求項１０記載の発明に示した主要手順を実現させるためのプログラムを提供する（請求項１４記載の発明）。
【００１７】
請求項１０に従属する発明として、当該端末装置の向きを検出する向き検出手段を更に備え、前記制御手段は、前記向き検出手段により検出された当該端末装置の向きに応じて、前記表示に関する動作方向を更に制御することを特徴とする請求項１１記載の発明であってもよい。
【００１８】
請求項１０又は１１に従属する発明として、前記回転検出手段は、前記回転操作の回転する量を更に検出し、前記制御手段は、前記開閉検出手段により検出された回転量に応じて、前記表示部による情報の表示に関する動作量を更に制御することを特徴とする請求項１２記載の発明であってもよい。
【発明の効果】
【００１９】
本発明によれば、ヒンジ部を備えた携帯端末装置において、操作子を増やすことなく、紙のページをめくる書籍に近い操作性を実現することができるという効果がある。
【発明を実施するための最良の形態】
【００２０】
（第１実施形態）
以下、図１〜図１１を参照して本発明の第１実施形態を説明する。
この実施形態は、携帯端末装置として携帯電話装置に適用した場合を例示したもので、図１は、この携帯電話装置の外観を表した外観図である。
この携帯電話装置は、後述する表示部１４を備える第一筐体１と第二筐体２の２つの筐体からなり、第一筐体１と第二筐体２とを閉じた状態から相対的に回転させて、第一の方向と、第一の方向と直交する第二の方向とに開放させ、縦開き、横開きの異なる二方向に開閉可能となっている。
図１（Ａ）は、縦開きで縦置きとした状態、図１（Ｂ）は、縦開きで横置きとした状態、図１（Ｃ）は、横開きで縦置きとした状態、図１（Ｄ）は、横開きで横置きとした状態をそれぞれ表している。
【００２１】
図２は、この携帯電話装置の基本的な構成要素を示したブロック図である。
この携帯電話装置は、音声通話機能、電子メール機能、インターネット接続機能（Ｗｅｂアクセス機能）など、各種の機能が備えられている。この携帯電話装置は、図示は省略したが、無線通信網（公衆移動体通信網）を介してインターネットに接続されており、この無線通信網やインターネット側のメールサーバとの間で電子メールの送受信が可能なほか、インターネットを介して任意のＷｅｂページをアクセス可能となっている。
【００２２】
制御部１１は、二次電池を備えた電源部１２からの電力供給によって動作し、記憶部１３内の各種のプログラムに応じてこの携帯電話装置の全体動作を制御するもので、この制御部１１にはＣＰＵ（中央演算処理装置）やメモリなどが設けられている。記憶部１３は、内部メモリで、プログラム領域とデータ領域とを有し、このプログラム領域には、後述する図３に示す動作テーブルＭＴ、図４に示す動作方向テーブルＤＴ、図５に示す動作量テーブルＱＴ、図６に示す方向フラグＤＦ、図７〜図１０に示す動作手順に応じて本実施例を実現するためのプログラムが格納されている。なお、記憶部１３としては、例えば、ＳＤカード、ＩＣカードなど、着脱自在な可搬型メモリ（記録メディア）を含む構成であってもよい。
【００２３】
表示部１４は、液晶、有機ＥＬなどを使用した高精細な表示装置で、数値、文字、待受画像などを表示可能なもので、その待受画面のピクトエリアには、時刻表示、受信感度などが表示される。操作部１５は、ダイヤル入力、文字入力、コマンド入力などを行うもので、制御部１１は、操作部１５からの操作信号に応じた処理として、例えば、発信処理など、各種の処理を実行する。通信部１６は、無線部、ベースバンド部、多重分離部などを備え、例えば、通話機能、電子メール機能、インターネット接続機能の動作時に最寄りの基地局との間でデータの送受信を行うもので、通話機能の動作時にはベースバンド部の受信側から信号を取り込んで受信ベースバンド信号に復調したのち、電話部１７を介して通話用スピーカＳＰから音声出力させ、また、通話用マイクＭＣからの入力音声データを電話部１７から取り込み、送信ベースバンド信号に符号化したのち、ベースバンド部の送信側に与えてアンテナから発信出力させる。
【００２４】
筐体開閉検出部１８は、角度センサによって構成されたもので、第一筐体１と第二筐体２が縦開き或いは横開きのどちらであるか、及び閉じた状態から全開の状態の間でどの角度にあるかを検出して制御部１１に開閉情報を出力する。筐体向き検出部１９は、３軸タイプの加速度センサによって構成されたもので、装置本体が縦置き或いは横置きのどちらの向きであるか検出して制御部１１に向き情報を出力する。
【００２５】
図３は、動作テーブルＭＴを説明するための図である。
この動作テーブルＭＴは、記憶部１３に格納され、表示中の情報種類に応じて制御される表示の動作を記憶するものであり、詳細は後述する。
【００２６】
図４は、動作方向テーブルＤＴを説明するための図である。
この動作方向テーブルＤＴは、記憶部１３に格納され、第一筐体１及び第二筐体２の開閉方向が縦開きか或いは横開きであるか、及び装置本体が縦置きか或いは横置きかであるかに応じて、第一筐体１或いは第二筐体２を閉じる操作が行われた際の表示中の情報を制御する動作方向を記憶するものであり、詳細は後述する。
【００２７】
図５は、動作量テーブルＱＴを説明するための図である。
この動作量テーブルＱＴは、記憶部１３に格納され、表示中の情報種類と第一筐体１或いは第二筐体２を閉じて開いた量に応じて表示中の情報を制御する動作量を記憶するものであり、詳細は後述する。
【００２８】
図６は、方向フラグＤＦを説明するための図である。
この方向フラグＤＦは、記憶部１３に格納され、“０”の場合は図３の動作方向テーブルＤＴで参照される方向のままで、“１”の場合は図３の動作方向テーブルＤＴで参照される方向とは逆方向で表示中の情報を制御する。
【００２９】
次に、この実施形態における携帯電話装置の動作概念を図７〜図１０に示すフローチャートを参照して説明する。ここで、これらのフローチャートに記述されている各機能は、読み取り可能なプログラムコードの形態で格納されており、このプログラムコードに従った動作が逐次実行される。また、伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用してこの実施形態特有の動作を実行することもできる。
【００３０】
先ず、制御部１１は、所定のメモリをクリアするなどの初期設定を行ったのち（図７のステップＡ１）、所定の待受画像を読み出して表示させながら待ち受け状態となる（ステップＡ２）。この待ち受け状態において筐体開閉検出部１８により検出された開閉情報から第一筐体１及び第二筐体２が全開であるか否かを判定し（ステップＡ３）、全開である場合は（ステップＡ３でＹＥＳ）、続いて筐体開閉検出部１８により検出された開閉情報から第一筐体１を閉じる操作が行なわれたか否かを判定し（ステップＡ４）、第一筐体１を閉じる操作が行なわれた場合は（ステップＡ４でＹＥＳ）、第二筐体２が動いていないか、即ち第一筐体１と第二筐体２を同時に閉じる操作が行なわれていないか否かを判定し（ステップＡ５）、第二筐体２が動いていない場合は（ステップＡ５でＹＥＳ）、更に続いて筐体開閉検出部１８により検出された開閉情報から第一筐体１を全開に戻す操作が行なわれたか否かを判定し（ステップＡ６）、第一筐体１を全開に戻す操作が行なわれた場合に（ステップＡ６でＹＥＳ）、表示部１４に表示中の情報の表示制御を行うための操作が行われたと判断し、表示制御処理（ステップＡ７）に移行する。表示制御処理（ステップＡ７）の詳細については後述する。
【００３１】
ステップＡ４で第一筐体１を閉じる操作が行なわれなかったと判定された場合は（ステップＡ４でＮＯ）、筐体開閉検出部１８により検出された開閉情報から第二筐体２を閉じる操作が行なわれたか否かを判定し（ステップＡ８）、第二筐体２を閉じる操作が行なわれた場合は（ステップＡ８でＹＥＳ）、第一筐体１が動いていないか、即ち第二筐体２と第一筐体１を同時に閉じる操作が行なわれていないか否かを判定し（ステップＡ９）、第一筐体１が動いていない場合は（ステップＡ９でＹＥＳ）、続いて筐体開閉検出部１８により検出された開閉情報から第二筐体２を全開に戻す操作が行なわれたか否かを判定し（ステップＡ１０）、第二筐体２を全開に戻す操作が行なわれた場合に（ステップＡ１０でＹＥＳ）、表示部１４に表示中の情報の表示制御を行うための操作が行われたと判断し、表示制御処理（ステップＡ７）に移行する。
【００３２】
ステップＡ５で第二筐体２が動いた場合、即ち第一筐体１と第二筐体２を同時に閉じる操作が行なわれたと判定された場合（ステップＡ５でＮＯ）、ステップＡ６で第一筐体１を全開に戻す操作が行なわれなかった場合（ステップＡ６でＮＯ）、ステップＡ９で第一筐体１が動いた場合、即ち第二筐体２と第一筐体１を同時に閉じる操作が行なわれたと判定された場合（ステップＡ９でＮＯ）、及びステップＡ１０で第二筐体２を全開に戻す操作が行なわれなかった場合には（ステップＡ１０でＮＯ）、ステップＡ３に戻る。
【００３３】
ステップＡ３で第一筐体１及び第二筐体２が全開でないと判定された場合は（ステップＡ３でＮＯ）、表示の消灯等その他の開閉状態に応じた処理を行い（ステップＡ１１）、ステップＡ３に戻る。
【００３４】
図７のステップＡ８で第二筐体２を閉じる操作が検出されず（ステップＡ８でＮＯ）、Ｗｅｂ閲覧アプリケーション操作が検出された場合には（図８のステップＡ２１でＹＥＳ）、Ｗｅｂページ表示操作が検出されたか否かを判定し（ステップＡ２２）、Ｗｅｂページ表示操作が検出された場合には（ステップＡ２２でＹＥＳ）、Ｗｅｂページを表示する処理を行い（ステップＡ２３）、情報種類をデータ表示に設定し（ステップＡ２４）、方向フラグＤＦに“０”を立て、図７のステップＡ３に戻る。
【００３５】
ステッＡ２２でＷｅｂページ表示操作が検出されず（ステップＡ２２でＮＯ）、ブックマーク一覧表示操作が検出された場合には（ステップＡ２６でＹＥＳ）、ブックマーク一覧を表示する処理を行い（ステップＡ２７）、情報種類を一覧表示に設定し（ステップＡ２８）、方向フラグＤＦに“０”を立て（ステップＡ２５）、図７のステップＡ３に戻る。
【００３６】
ステップＡ２６でブックマーク一覧表示操作が検出されなかった場合は（ステップＡ２６でＮＯ）、例えばＵＲＬ入力のようなその他の操作に応じた処理を行い（ステップＡ２９）、図７のステップＡ３に戻る。
【００３７】
以上Ｗｅｂ閲覧アプリケーション操作を説明したが、メールアプリケーションやメモアプリケーション等でも同様の動作となる。
メールアプリケーションの場合は、Ｗｅｂページ表示操作がメール表示操作に、Ｗｅｂページ表示処理がメール表示処理に、ブックマーク一覧表示操作がメール一覧表示操作に、ブックマークの一覧表示処理がメール一覧表示処理になる。
メモアプリケーションの場合は、Ｗｅｂページ表示操作がメモ表示操作となる、Ｗｅｂページ表示処理がメモ表示処理に、ブックマーク一覧表示操作がメモ一覧表示操作に、ブックマーク一覧表示処理がメモの一覧表示処理になる。
【００３８】
図８のステップＡ２１でＷｅｂ閲覧アプリケーション操作が検出されず（ステップＡ２１でＮＯ）、画像閲覧アプリケーション操作が検出された場合には（図８のステップＡ３１でＹＥＳ）、画像表示操作が検出されたか否かを判定し（ステップＡ３２）、画像表示操作が検出された場合には（ステップＡ３２でＹＥＳ）、画像を表示する処理を行い（ステップＡ３３）、情報種類をページ表示に設定し（ステップＡ３４）、方向フラグＤＦに“０”を立て（ステップＡ３５）、図７のステップＡ３に戻る。
【００３９】
ステップＡ３２で画像表示操作が検出されなかった場合には（ステップＡ３２でＮＯ）、例えば画像編集のようなその他の操作に応じた処理を行い（ステップＡ３６）、図７のステップＡ３に戻る。
【００４０】
図８のステップＡ３１で画像閲覧アプリケーション操作が検出されず（ステップＡ３１でＮＯ）、電子書籍アプリケーション操作が検出された場合には（図９のステップＡ４１でＹＥＳ）、電子書籍表示操作が検出されたか否かを判定し（ステップＡ４２）、電子書籍表示操作が検出された場合には（ステップＡ４２でＹＥＳ）、電子書籍のコンテンツを表示する処理を行い（ステップＡ４３）、情報種類をページ表示に設定する（ステップＡ４４）、
次に電子書籍のコンテンツが縦書きであるか否かを判定し（ステップＡ４５）、縦書きである場合は（ステップＡ４５でＹＥＳ）、方向フラグＤＦに“１”を立て（ステップＡ４６）、縦書きでない、即ち横書きである場合は（ステップＡ５０でＮＯ）、方向フラグＤＦに“０”を立て（ステップＡ４８）、図７のステップＡ３に戻る。
【００４１】
ステッＡ４２で電子書籍表示操作が検出されず（ステップＡ４２でＮＯ）、電子書籍一覧表示操作が検出された場合には（ステップＡ４７でＹＥＳ）、電子書籍一覧を表示する処理を行い（ステップＡ４８）、情報種類を一覧表示に設定し（ステップＡ４９）、方向フラグＤＦに“０”を立て（ステップＡ５０）、図７のステップＡ３に戻る。
【００４２】
ステップＡ４７で電子書籍一覧表示操作が検出されなかった場合には（ステップＡ４７でＮＯ）、例えば文字サイズ設定のようなその他の操作に応じた処理を行い（ステップＡ５１）、図７のステップＡ３に戻る。
【００４３】
図９のステップＡ４１で電子書籍表示アプリケーション操作が検出されず（ステップＡ４１でＮＯ）、機能メニュー操作が検出された場合には（図９のステップＡ６１でＹＥＳ）、情報種類を一覧表示に設定し（ステップＡ６２）、方向フラグＤＦに“０”を立て（ステップＡ６３）、図７のステップＡ３に戻る。
【００４４】
図９のステップＡ６１で機能メニュー操作が検出されず（ステップＡ６１でＮＯ）、その他の何らかの操作が行われた場合には（ステップＡ７１でＹＥＳ）、操作に応じた処理が行われる（ステップＡ７２）。例えば、ユーザ操作に応じて任意の時計時刻を設定する処理、音声電話発信処理などが行われる。
【００４５】
次に図１０を参照して表示制御処理（ステップＡ７）の動作の詳細を説明する。
まず、表示部１４で表示中の情報の情報種類を取得し（ステップＢ１）、図３の動作テーブルＭＴを参照してステップＢ１で取得した情報種類から表示の動作を取得する（ステップＢ２）。続いて、筐体開閉検出部１８により検出された開閉情報から縦開きか或いは横開きか（スタイル）、筐体向き検出部１９により検出された向き情報から縦置きか或いは横置きか（向き）を取得し（ステップＢ３）、図６の方向フラグＤＦの値を取得し（ステップＢ４）、図４の動作方向テーブルＤＴを参照してステップＢ３で取得したスタイル、向き、ステップＢ４で取得した方向フラグＤＦの値、及び第一筐体１或いは第二筐体２のどちらが閉じられたかから動作方向を取得する（ステップＢ５）。
【００４６】
次に筐体開閉検出部１８により検出された第一筐体１或いは第二筐体２が閉じられた角度を取得し（ステップＢ６）、図５の動作量テーブルＱＴを参照してステップＢ６で取得した角度に応じた動作量を取得し（ステップＢ７）、ステップＢ５で取得した動作方向、及びステップＢ７で取得した動作量により表示部１４で表示中の情報の表示を制御し、（ステップＢ８）、前の状態に戻り次のステップに進む。
【００４７】
例えば、横開き縦置き（図１（Ｃ））で横書きの電子書籍を閲覧中に全開の状態から閉じる角度が全開と中央の間の位置まで第一筐体１（右側）を閉じて全開まで開いた場合は、情報種類が「ページ表示」、方向フラグＤＦの値が“０”、スタイルが「横開き」、向きが「縦置き」、角度が「全開〜中央」となるため、動作テーブルＭＴ（図３）、動作方向テーブルＤＴ（図４）、動作方向テーブルＱＴ（図５）、方向フラグＤＦ（図６）を参照して１ページ単位の送り方向へのページ送りとなる。即ち紙の横書きの書籍で右側のページをめくって次のページに進むのと近い操作感でページ送りができる。同様に中央と全閉の間の位置まで閉じて全開まで開いた場合は角度が「中央〜全閉」となるため、１０ページ単位のページ送りが、完全に閉じてから全開まで開いた場合は角度が「全閉」となるため最後尾のページにジャンプし、紙の書籍のページをパラパラめくるように素早いページ送りが可能となる。
【００４８】
また、第二筐体２（左側）を閉じて全開に戻した場合は、角度が「全開〜中央」「中央〜全閉」「全閉」の場合で各々１ページ単位のページ戻し、１０ページ単位のページ戻し、先頭ページへのジャンプとなり、紙の書籍の左側のページをめくって前のページに戻るようにページを戻すことができる。更に縦書きの場合は方向フラグＤＦの値が“１”となり、横書きの場合の送り、戻しの方向が全て逆となり、横書きの場合と同様に紙の縦書きの書籍で左側のページをめくって次のページに進み、右側のページをめくって前のページに戻るのと近い操作感でページ送り、戻しができる。電子書籍の閲覧を画像の閲覧とした場合は、送り、戻しの「ページ単位」が「画像単位」となり、画像の送り、戻しが可能となる。
【００４９】
縦開き横置き（図１（Ｂ））で横書きの電子書籍を閲覧中に閉じる角度が全開と中央間の位置で第二筐体２（右側）を閉じて全開まで開いた場合は、情報種類が「ページ表示」、方向フラグＤＦの値が“０”、スタイルが「縦開き」、向きが「横置き」、角度が「全開〜中央」となるため１ページ単位のページ送りとなる。また、角度が「中央〜全閉」「全閉」の場合は、各々１０ページ単位のページ送り、最後尾のページへのジャンプとなり、第一筐体１（左側）を閉じて全開まで開いた場合は、角度が「全開〜中央」「中央〜全閉」「全閉」の場合で、各々１ページ単位のページ戻し、１０ページ単位のページ戻し、先頭ページへのジャンプとなる。縦書きの場合は方向フラグＤＦの値が“１”となり、横書きの場合の送り、戻しの方向が全て逆となる。
【００５０】
また、横開き横置き（図１（Ｄ））でＷｅｂページを閲覧中に閉じる角度が全開と中央間の位置で第二筐体２（下側）を閉じて全開まで開いた場合は、情報種類が「データ表示」、方向フラグＤＦの値が“０”、スタイルが「横開き」、向きが「横置き」、角度が「全開〜中央」となるため１０ｄｏｔｓ単位の下・送り方向へのスクロールとなる。また、角度が「中央〜全閉」「全閉」の場合は、各々１００ｄｏｔｓ単位の下・送り方向へのスクロール、最後尾へのジャンプとなり、第一筐体１（上側）を閉じて全開まで開いた場合は、角度が「全開〜中央」「中央〜全閉」「全閉」の場合で、各々１０ｄｏｔｓ単位の上・戻り方向へのスクロール、１００ｄｏｔｓ単位の上・戻り方向へのスクロール、先頭へのジャンプとなる。メール本文の閲覧中やメモ閲覧中も場合も同様のスクロール動作となる。
【００５１】
縦開き縦置き（図１（Ａ））で機能メニューを表示中に閉じる角度が全開と中央間の位置で第二筐体２（下側）を閉じて全開まで開いた場合は、情報種類が「一覧表示」、方向フラグＤＦの値が“０”、スタイルが「縦開き」、向きが「縦置き」、角度が「全開〜中央」となるため１項目単位の選択項目の下・送り方向への移動となる。また、角度が「中央〜全閉」「全閉」の場合は、各々１０項目単位の選択項目の下・送り方向への移動、最後尾項目への移動となり、第一筐体１（上側）を閉じて全開まで開いた場合は、角度が「全開〜中央」「中央〜全閉」「全閉」の場合で、各々１項目単位の選択項目の上・戻り方向への移動、１０項目単位の選択項目の上・戻り方向への移動、先頭項目への移動となる。ブックマーク一覧メール一覧表示、メモ一覧表示や電子書籍一覧表示でも同様の選択項目移動動作となる。
【００５２】
なお、図４の動作方向テーブルＤＴで設定されている第一筐体１或いは第二筐体２のどちらを閉じるかで送る動作方向はユーザにより任意に設定できるようにしてもよい。図５の動作量テーブルＱＴで設定されている動作量はユーザにより任意に設定できるようにしてもよい。また、動作量の区切りの中央位置でクリック感を持たせるようにしてもよい。
【００５３】
（変形例）
図１に示す携帯端末装置の変形例として図１１に示すように第一筐体３及び第二筐体４の両方に表示部１４を持つようにしてもよい。また１方向にのみ開閉可能なヒンジとして縦置きか横置きかのみを判別するようにしてもよい。
図１１（Ａ）は、縦置きとした状態、図１１（Ｂ）は、横置きとした状態をそれぞれ表している。
第一筐体３及び第二筐体４の両方に表示部１４を持つようにした場合は、動作量テーブルＱＴの情報種類「ページ表示」で角度が「全開〜中央」の場合を「２ページ・画像」としてもよい。
【００５４】
以上のように、少なくとも一方の筐体に情報を表示する表示部を備え、ヒンジ部を介して開閉可能に連結された端末装置の第一の筐体或いは第二の筐体の一方を動かさず他方を開く或いは閉じる操作のうち、どちらの筐体が開く或いは閉じられたかを検出し、検出された第一の筐体或いは第二の筐体のどちらの開閉操作かに応じて、表示部による情報の表示に関する動作方向を制御するようにしたことで、専用の操作子を設けなくとも第一の筐体或いは第二の筐体の開閉操作の検出だけで表示の動作方向を制御できる。
【００５５】
更に、表示部に表示される情報の種類を更に検出し、検出された情報の種類に応じて表示に関する動作方向を更に制御するようにしたことで、第一の筐体或いは第二の筐体のどちらかの開閉操作の検出だけで情報の種類に合った表示の動作方向を制御できる。
【００５６】
また、検出される情報の種類は複数のページからなるコンテンツであって、コンテンツのページ送りの方向を制御するようにしたことで、第一の筐体或いは第二の筐体のどちらかの開閉操作だけで、電子書籍やデジタル写真のページ送り、戻しの操作ができ、特に電子書籍を表示する場合は紙の書籍に近い操作感で操作ができる。
【００５７】
更に、コンテンツが縦書きか横書きかを更に検出し、検出された縦書きか横書きかに応じてページ送りの方向を更に制御するようしたことで、縦書きか横書きかに応じてページ送りの方向が異なる紙の書籍と同等の操作感で操作ができる。
【００５８】
また、検出される情報の種類は表示部の画面内に収まらない表示サイズのコンテンツであって、コンテンツのスクロールの動作方向を制御するようにしたことで、第一の筐体或いは第二の筐体のどちらかの開閉操作だけで画面に収まらないＷｅｂページ表示やメール表示のスクロールができる。
【００５９】
更に、検出される情報の種類は項目の一覧表示であって、項目を選択する方向を制御するようにしたことで、第一の筐体或いは第二の筐体のどちらかの開閉操作だけで、設定の項目選択やブックマークの一覧の選択ができる。
【００６０】
また、当該端末装置の向きを更に検出し、検出された当該端末装置の向きに応じて、表示に関する動作方向を更に制御するようにしたことで、当該端末装置の向きにより表示の向きが切り替わっても適切な動作方向に制御できる。
【００６１】
更に、ヒンジ部を第１の筐体と第２の筐体とを閉じた状態から相対的に回転させて、第１の方向と、第１の方向と直交する第２の方向とに開放させ異なる二方向に開閉可能をし、第一の筐体或いは第二の筐体の一方を動かさず他方を開く或いは閉じる操作のうち、どちらの筐体が第１の方向或いは第２の方向のどちらに開く或いは閉じられたかを更に検出し、検出された第一の筐体或いは第二の筐体のどちらの開閉操作が第１の方向或いは第２の方向のどちら方向に行なわれたかに応じて、表示に関する動作方向を更に制御するようにしたことで、２Ｗａｙオープンスタイルと呼ばれる異なる２方向に開閉可能な端末装置で、開閉方向により表示の向きが切り替わっても適切な動作方向に制御できる。
【００６２】
また、第一の筐体或いは第二の筐体のどちらかの開閉操作の開く或いは閉じる量を更に検出し、検出された開閉量に応じて、表示部による情報の表示に関する表示の動作量を更に制御するようにしたことで、第一の筐体或いは第二の筐体を開閉する量を変えるだけでページ送りするページ数、スクロールのドット数といった表示の動作量を可変にコントロールできる。
【００６３】
（第２実施形態）
以下、この発明の第２実施形態について図１２〜図１７を参照して説明する。
なお、上述した第１実施形態においては、２方向に開閉が可能なヒンジ部を備え、縦開き、横開きが可能な携帯電話装置としたが、この第２実施形態においては、２軸ヒンジを備え第一筐体１が第二筐体２に対して回転が可能な携帯電話装置としたものである。ここで、両実施形態において基本的あるいは名称的に同一のものは、同一符号を付して示し、その説明を省略すると共に、以下、第２実施形態の特徴部分を中心に説明するものとする。なお、上述の第１実施形態で説明した図３、図６、図８、図９は、この第２実施形態においても同様であるので、その説明は省略するものとする。
【００６４】
図１２は、この携帯電話装置の外観を表した外観図である。
この携帯電話装置は、情報を表示する表示部を備える第一の筐体１と第二の筐体２が、筐体の折り畳みの軸線方向と直交方向の軸線回りに筐体を相対回転可能とする２軸のヒンジ部を介して折り畳み可能に連結されている。
図１２（Ａ）は、縦置きとした状態、図１２（Ｂ）は、横置きとした状態をそれぞれ表している。
【００６５】
図１３は、この携帯電話装置の基本的な構成要素を示したブロック図である。
１１〜１９は第１実施形態と共通であるため説明を省略する。
筐体回転検出部２０は、角度センサによって構成されたもので、第一筐体１が右・上方向或いは左・下方向のどちらに回転されたか、及びどの角度まで回転されたかを検出して制御部１１に回転情報を出力する。
【００６６】
図１４は、動作方向テーブルＤＴを説明するための図である。
この動作方向テーブルＤＴは、記憶部１３に格納され、装置本体が縦置きか或いは横置きかに応じて、表示中の情報を制御する動作方向を記憶するものであり、詳細は後述する。
【００６７】
図１５は、動作量テーブルＱＴを説明するための図である。
この動作量テーブルＱＴは、記憶部１３に格納され、表示中の情報種類と第一筐体１を回転した角度に応じて表示中の情報を制御する動作量を記憶するものであり、詳細は後述する
【００６８】
次に、この実施形態における携帯電話装置の動作概念を図１６〜図１７に示すフローチャートを参照して説明する。
先ず、制御部１１は、所定のメモリをクリアするなどの初期設定を行ったのち（図１６のステップＣ１）、所定の待受画像を読み出して表示させながら待ち受け状態となる（ステップＣ２）。この待ち受け状態において筐体開閉検出部１８により検出された開閉情報から第一筐体１及び第二筐体２が全開であり、筐体回転検出部２０により検出された回転情報から第一筐体１が正面を向いているか、即ち回転角度が“０°”であるか否かを判定し（ステップＣ３）、全開でかつ第一筐体１が正面を向いている場合は（ステップＣ３でＹＥＳ）、続いて筐体回転検出部２０により検出された回転情報から第一筐体１を回転する操作が行なわれたか否かを判定し（ステップＣ４）、第一筐体１を回転する操作が行なわれた場合は（ステップＣ４でＹＥＳ）、筐体回転検出部２０により検出された開閉情報から第一筐体１を正面に戻す操作が行なわれたか否かを判定し（ステップＣ５）、第一筐体１を正面に戻す操作が行なわれた場合に（ステップＣ５でＹＥＳ）、表示部１４に表示中の情報の表示制御を行うための操作が行われたと判断し、表示制御処理２（ステップＣ６）に移行する。
【００６９】
ステップＣ５で第一筐体１が正面に戻されなかった場合は（ステップＣ５でＮＯ）、ステップＣ３に戻る。
【００７０】
ステップＣ３で第一筐体１及び第二筐体２が全開でありかつ第一筐体１が正面を向いていないと判定された場合は（ステップＣ３でＮＯ）、その他の開閉・回転状態に応じた処理を行い（ステップＣ７）、ステップＣ３に戻る。
ステップＣ４で第一筐体１を回転する操作が検出されなかった場合は（ステップＣ４でＮＯ）、第一実施例の図７のステップＡ８で第二筐体２を閉じる操作が検出されなかった場合（ステップＡ８でＮＯ）以降の動作である図８、図９のステップＡ２１〜Ａ６２の動作と戻り先がステップＡ３の替わりにステップＣ３となる以外は同一となるため説明を省略する。
【００７１】
次に図１７を参照して表示制御処理２（ステップＣ６）の動作の詳細を説明する。
まず、表示部１４で表示中の情報の情報種類を取得し（ステップＤ１）、図３の動作テーブルＭＴを参照してステップＤ１で取得した情報種類から表示の動作を取得する（ステップＤ２）。続いて、筐体向き検出部１９により検出された向き情報から縦置きか或いは横置きか（向き）を取得し、筐体回転検出部２０により検出された回転情報から右・上方向か或いは左・下方向か回転方向を取得し（ステップＤ３）、図６の方向フラグＤＦの値を取得し（ステップＤ４）、図１４の動作方向テーブルＤＴを参照してステップＤ３で取得した向き、回転方向、ステップＤ４で取得した方向フラグＤＦの値から動作方向を取得する（ステップＤ５）。
【００７２】
次に筐体回転検出部２０により検出された回転角度を取得し（ステップＤ６）、図１５の動作量テーブルＱＴを参照してステップＤ６で取得した角度に応じた動作量を取得し（ステップＤ７）、ステップＤ５で取得した動作方向、及びステップＤ７で取得した動作量により表示部１４で表示中の情報の表示を制御し、（ステップＤ８）、前の状態に戻り次のステップに進む。
【００７３】
例えば、縦置き（図１２（Ａ））で横書きの電子書籍を閲覧中に第一筐体１及び第二筐体２が全開でかつ第一筐体１が正面を向いている状態、即ち角度が０°から、第一筐体１を左方向に回転角度が０°と４５°の間の位置まで回転して正面まで戻した場合は、情報種類が「ページ表示」、方向フラグＤＦの値が“０”、向きが「縦置き」、角度が「０°〜４５°」となるため、動作テーブルＭＴ（図３）、動作方向テーブルＤＴ（図１４）、動作方向テーブルＱＴ（図１５）、方向フラグＤＦ（図６）を参照して１ページ単位の送り方向へのページ送りとなる。同様に４５°と９０°の間の位置まで回転して正面まで戻した場合は角度が「４５°〜９０°」となるため、１０ページ単位のページ送りが、９０°まで回転して正面まで戻した場合は角度が「９０°」となるため最後尾のページにジャンプする。
【００７４】
また、第一筐体１を右方向に回転して正面に戻した場合は、角度が「０°〜４５°」「４５°〜９０°」「９０°」の場合で各々１ページ単位のページ戻し、１０ページ単位のページ戻し、先頭ページへのジャンプとなる。更に縦書きの場合は方向フラグＤＦの値が“１”となり、横書きの場合の送り、戻しの方向が全て逆となる、電子書籍の閲覧を画像の閲覧とした場合は、送り、戻しの「ページ単位」が「画像単位」となり、画像の送り、戻しが可能となる。
【００７５】
横置き（図１２（Ｂ））で横書きの電子書籍を閲覧中に第一筐体１及び第二筐体２が全開でかつ第一筐体１が正面を向いている状態、即ち角度が０°から、第一筐体１を上方向に回転角度が０°と４５°の間の位置まで回転して正面まで戻した場合は、情報種類が「ページ表示」、方向フラグＤＦの値が“０”、向きが「横置き」、角度が「０°〜４５°」となるため１ページ単位のページ送りとなる。また、角度が「４５°〜９０°」「９０°」の場合は、各々１０ページ単位のページ送り、最後尾のページへのジャンプとなり、第一筐体１を下方向に回転して正面に戻した場合は、角度が「０°〜４５°」「４５°〜９０°」「９０°」の場合で、各々１ページ単位のページ戻し、１０ページ単位のページ戻し、先頭ページへのジャンプとなる。縦書きの場合は方向フラグＤＦの値が“１”となり、横書きの場合の送り、戻しの方向が全て逆となる。
【００７６】
また、横置き（図１２（Ｂ））でＷｅｂページを閲覧中に第一筐体１及び第二筐体２が全開でかつ第一筐体１が正面を向いている状態、即ち角度が０°から、第一筐体１を上方向に回転角度が０°と４５°の間の位置まで回転して正面まで戻した場合は、情報種類が「データ表示」、方向フラグＤＦの値が“０”、向きが「横置き」、角度が「０°〜４５°」となるため１０ｄｏｔｓ単位の下・送り方向へのスクロールとなる。また、角度が「４５°〜９０°」「９０°」の場合は、各々１００ｄｏｔｓ単位の下・送り方向へのスクロール、最後尾へのジャンプとなり、第一筐体１を下方向に回転して正面に戻した場合は、角度が「０°〜４５°」「４５°〜９０°」「９０°」の場合で、各々１０ｄｏｔｓ単位の上・戻り方向へのスクロール、１００ｄｏｔｓ単位の上・戻り方向へのスクロール、先頭へのジャンプとなる。メール本文閲覧中やメモ閲覧中も場合も同様のスクロール動作となる。
【００７７】
縦置き（図１２（Ａ））で機能メニューを表示中に第一筐体１及び第二筐体２が全開でかつ第一筐体１が正面を向いている状態、即ち角度が０°から、第一筐体１を左方向に回転角度が０°と４５°の間の位置まで回転して正面まで戻した場合は、情報種類が「一覧表示」、方向フラグＤＦの値が“０”、向きが「縦置き」、角度が「０°〜４５°」となるため１項目単位の選択項目の下・送り方向への移動となる。また、角度が「４５°〜９０°」「９０°」の場合は、各々１０項目単位の選択項目の下・送り方向への移動、最後尾項目への移動となり、第一筐体１を右方向に回転して正面に戻した場合は、角度が「０°〜４５°」「４５°〜９０°」「９０°」の場合で、各々１項目単位の選択項目の上・戻り方向への移動、１０項目単位の選択項目の上・戻り方向への移動、先頭項目への移動となる。ブックマーク一覧、メール一覧表示、メモ一覧表示や電子書籍一覧表示でも同様の選択項目移動動作となる。
【００７８】
なお、図１４の動作方向テーブルＤＴで設定されている第一筐体１をどちらの方向に回転させるかで送る動作方向はユーザにより任意に設定できるようにしてもよい。図１５の動作量テーブルＱＴで設定されている動作量はユーザにより任意に設定できるようにしてもよく、動作量の区切りの角度を０°、４５°、９０°としているがヒンジ部の機構に応じて異なる角度としてもよい。また、動作量の区切りの角度でクリック感を持たせるようにしてもよい。
【００７９】
以上のように、２軸のヒンジ部を介して折り畳み可能に連結された端末装置の表示部を備える第一の筐体がどちらの方向に回転されたかを検出し、検出された操作により表示部による情報に関する表示の動作方向を制御するようにしたことで、専用の操作子を設けなくとも第一の筐体の回転方向を検出するだけで表示の動作方向を制御できる。
【００８０】
また、当該端末装置の向きを更に検出し、検出された当該端末装置の向きに応じて、表示に関する動作方向を更に制御するようにしたことで、当該端末装置の向きにより表示の向きが切り替わっても適切な動作方向に制御できる。
【００８１】
更に、回転操作の回転する量を更に検出し、検出された回転量に応じて表示部による情報に関する表示の動作量を更に制御するようにしたことで、第一の筐体を回転する量を変えるだけでページ送りするページ数、スクロールのドット数といった表示の動作量を可変にコントロールできる。
【００８２】
なお、上述した各実施形態は携帯電話装置に限らず、例えば、ＰＤＡ、デジタルカメラ、音楽再生機などの携帯端末装置であっても同様に適用可能である。
【図面の簡単な説明】
【００８３】
【図１】携帯端末装置として適用した携帯電話装置の外観図。（Ａ）〜（Ｄ）は、携帯電話装置のスタイルと向きを説明するための図。
【図２】携帯端末装置として適用した携帯電話装置の基本的な構成要素を含むシステムのブロック図。
【図３】動作テーブルＭＴを説明するための図。
【図４】動作方向テーブルＤＴを説明するための図。
【図５】動作量テーブルＱＴを説明するための図。
【図６】方向フラグＤＦを説明するための図。
【図７】電源投入に伴って実行開始される携帯電話装置の全体動作を示したフローチャート。
【図８】図７に続く動作を示したフローチャート。
【図９】図８に続く動作を示したフローチャート。
【図１０】表示制御処理（図７のステップＡ７）を詳述するためのフローチャート。
【図１１】携帯端末装置として適用した携帯電話装置の変形例の外観図。（Ａ）〜（Ｂ）は、携帯電話装置の向きを説明するための図。
【図１２】第２実施形態において携帯端末装置として適用した携帯電話装置の外観図。（Ａ）〜（Ｂ）は、携帯電話装置の向きを説明するための図。
【図１３】第２実施形態において携帯端末装置として適用した携帯電話装置の基本的な構成要素を含むシステムのブロック図。
【図１４】第２実施形態において動作方向テーブルＤＴを説明するための図。
【図１５】第２実施形態において動作量テーブルＱＴを説明するための図。
【図１６】第２実施形態において電源投入に伴って実行開始される携帯電話装置の全体動作を示したフローチャート。
【図１７】第２実施形態において表示制御処理２（図１６のステップＣ６）を詳述するためのフローチャート。
【符号の説明】
【００８４】
１    第一筐体
２    第二筐体
３    変形例における第一筐体
４    変形例における第二筐体
１１  制御部
１２  電源部
１３  記憶部
１４  表示部
１５  操作部
１６  通信部
１７  電話部
１８  筐体開閉検出部
１９  筐体向き検出部
２０  筐体回転検出部
【図１】
2010135967.tif 000003
【図２】
2010135967.tif 000004
【図３】
2010135967.tif 000005
【図４】
2010135967.tif 000006
【図５】
2010135967.tif 000007
【図６】
2010135967.tif 000008
【図７】
2010135967.tif 000009
【図８】
2010135967.tif 000010
【図９】
2010135967.tif 000011
【図１０】
2010135967.tif 000012
【図１１】
2010135967.tif 000013
【図１２】
2010135967.tif 000014
【図１３】
2010135967.tif 000015
【図１４】
2010135967.tif 000016
【図１５】
2010135967.tif 000017
【図１６】
2010135967.tif 000018
【図１７】
2010135967.tif 000019